(57)【要約】メッセージ・データを送信可能な移動通信システム（１００）において、送信装置（１０２）及び受信装置（１０６）は、異なるメッセージ・データ処理能力を持ち得る。受信装置のメッセージ・データ処理能力を送信装置に知らせることにより、送信装置のユーザは、これらの能力に基づいて、受信装置に送信されるメッセージ・データを選択することができる。このようにして、装置が処理できないメッセージ・データを受信することが避けられ、又は、ネットワーク（１０４）がメッセージ・データをトランスコードする必要が回避される。
2006514813.tif 000002
【特許請求の範囲】
【請求項１】
ネットワーク（１０４）と、前記ネットワークとメッセージ・データを交換可能な少なくとも１つの送信装置（１０２）と、前記ネットワークとメッセージ・データを交換可能な少なくとも１つの受信装置（１０６）とを備え、各装置が一組のメッセージ・データ処理能力を有する移動通信システム（１００）においてメッセージ・データを送信する方法であって、
前記送信装置が前記受信装置の前記メッセージ・データ処理能力と適合するメッセージ・データのみを送信することを可能にするために、前記送信装置（１０２）に、前記受信装置（１０６）の前記メッセージ・データ処理能力を知らせるステップ
を含む方法。
【請求項２】
請求項１記載の方法であって、前記受信装置（１０６）の前記メッセージ・データ処理能力が、前記送信装置（１０２）のユーザに提示される方法。
【請求項３】
請求項１又は２に記載の方法であって、前記受信装置（１０６）のメッセージ・データ処理能力が、送信されるメッセージ・データを、前記受信装置のメッセージ・データ処理能力に従って自動的に選択するために、送信装置（１０２）に提示される方法。
【請求項４】
請求項１〜３のいずれか１つに記載された方法であって、前記メッセージ・データ処理能力が、
静止画像処理能力と、
ビデオ又はアニメーション・データ処理能力と、
音声データ処理能力と、
テキスト・データ処理能力と、
レイアウト形式処理能力と、
のうちの少なくとも１つを含む方法。
【請求項５】
請求項１〜４のいずれか１つに記載の方法であって、少なくとも２つの受信装置（１０６）の前記能力の説明が、送信装置（１０２）に蓄積される方法。
【請求項６】
請求項５記載の方法であって、前記蓄積された能力の説明が、ユーザ識別のリストにリンクされる方法。
【請求項７】
請求項５又は６に記載の方法であって、前記蓄積された能力の説明が、定期的な時間間隔で更新される方法。
【請求項８】
請求項５又は６に記載の方法であって、前記蓄積された能力の説明が、前記受信装置の前記能力に変更があった際に更新される方法。
【請求項９】
請求項１〜８のいずれか１つに記載の方法であって、前記送信装置（１０２）が、メッセージを構成する際に、前記受信装置（１０６）の前記能力の説明を取り出す方法。
【請求項１０】
請求項１〜９のいずれか１つに記載の方法であって、前記受信装置（１０６）が、認証に応じてのみ、自らの能力の説明を送信する方法。
【請求項１１】
請求項１〜１０のいずれか１つに記載の方法であって、前記送信装置（１０２）及び／又は前記受信装置（１０６）が移動装置である方法。
【請求項１２】
移動通信システムにおいて利用される装置（１０２、１０６）であって、
ネットワーク（１０４）とメッセージ・データを交換する手段（１１１）と、
メッセージ・データを処理する手段（１１２）と、
メッセージ・データを対応する装置の能力に適合させる手段（１１３）と、
を備える装置。
【請求項１３】
請求項１２記載の装置であって、更に、対応する装置の能力の説明を蓄積する手段（１１４）を備える装置。
【請求項１４】
請求項１２又は１３に記載の装置であって、更に、対応する装置の能力の説明を取り出す手段（１１５）を備える装置。
【請求項１５】
請求項１２、１３又は１４に記載の装置であって、更に、ビデオ・データ、音声データ及び／又はテキスト・データを含むメッセージ・データを交換するよう構成される装置。
【請求項１６】
請求項１２〜１５のいずれか１つに記載の装置（１０２、１０６）を制御するためのコンピュータ・プログラム製品。
【請求項１７】
ネットワーク（１０４）と、前記ネットワークとメッセージ・データを交換可能な少なくとも１つの送信装置（１０２）と、前記ネットワークとメッセージ・データを交換可能な少なくとも１つの受信装置（１０６）とを備え、各装置が一組のメッセージ・データ処理能力を有する移動通信システム（１００）であって、
前記送信装置が前記受信装置の前記メッセージ・データ処理能力と適合するメッセージ・データのみを送信することを可能とするために、前記送信装置（１０２）に、前記受信装置（１０６）の前記メッセージ・データ処理能力を知らせるよう構成されるシステム。
【発明の詳細な説明】
【技術分野】
【０００１】
本発明は、移動通信システムにおけるメッセージ通信に関する。より詳細には、本発明は、携帯電話システムのような通信システムにおいてユーザ・メッセージ・データのようなデータを送信する方法、装置及びシステムに関する。
【０００２】
携帯（北米では「セルラー」）電話システムのような通信システムにおいて、移動装置（「移動端末」としても知られる）間でメッセージ・データのようなデータを交換することは周知である。例えば、ＧＳＭネットワークでは、移動装置間でシンプル・テキスト・メッセージを交換することが可能である。そのようなテキスト・メッセージは、ＧＳＭのショート・メッセージ・サービス（ＳＭＳ）を利用し、典型的に１６０文字までに制限される。現代の移動ネットワークは、たいていの場合、写真又は音声を含む一層リッチなメッセージを移動装置間で送信することを可能とする。しかし、これらの追加の種別のメッセージが利用可能である程度は、利用されている移動装置に依存する。
【０００３】
移動装置には多くの種類があり、それらは異なる能力を持ち得る。例えば、或る移動装置は、通話の発信及び着信のみが可能である。しかし、他の移動装置は、テキストを表示し、画像を表示し、音声を再生し、及び／又はインターネットにアクセスするようなデータ能力をも有する。
【０００４】
更に、異なる移動装置は、異なる種類の形式のデータを受信することが可能であり得る。例えば、或る移動装置は、．ｇｉｆ、．ｊｐｇ、．ｍｐｅｇ、．ｍｉｄｉ、．ｗａｖといったデータ形式をサポートし得るが、他の移動装置は、これらの形式の幾つかをサポートするか、又は、いずれもサポートしないかもしれない。また、特定の移動装置がサポートできるメッセージのサイズにも違いがあり得る。更に、移動装置がサポートするメッセージの属性にも違いがあり得る。例えば、或る移動装置は、配達通知をサポートするが、他の移動装置はサポートしない。これら全ての差のために、受信移動装置にメッセージを送信する移動装置のユーザは、メッセージが受信移動装置において表示されるか否か、及びどのように表示されるかを知らないかもしれない。受信されたときのメッセージの形式は、送信されるときのメッセージの形式とはかなり違う可能性がある。
【０００５】
このような互換性の無さに対応するため、ネットワークは、データ・メッセージ又はその添付物の各要素をトランスコードする可能性を提供し得る。典型的にデータ・メッセージの構成要素の再フォーマットを含む周知の技法であるトランスコードは、メッセージがもともとは受信装置に適さない要素を含んでいる場合でも、受信装置がトランスコードされた一連の要素を解釈し、それによりメッセージの内容を解釈することを可能とする。しかし、トランスコードを用いることにより、メッセージ形式が変更される可能性がある。更に、トランスコードには、更なるハードウェア及びソフトウェアを含み、処理時間及びコストを増大させる比較的複雑なデータ処理が必要である。また、トランスコード処理によりメッセージが損傷される可能性がある。
【０００６】
本発明の目的は、従来技術のこれらの及び他の課題を克服し、データ・メッセージのトランスコードを避けながら、異なる能力を有する装置間のデータ・メッセージの交換を可能とするような、通信システムにおけるデータ送信方法を提供することである。
【０００７】
本発明のもう１つの目的は、該方法を利用する装置及び移動通信システムを提供することである。
従って、本発明は、ネットワークと、ネットワークとメッセージ・データを交換可能な少なくとも１つの送信装置と、ネットワークとメッセージ・データを交換可能な少なくとも１つの受信装置とを備える移動通信システムにおいてメッセージ・データを送信する方法であって、各装置が一連のメッセージ・データ処理能力を備え、該方法が、送信装置が受信装置のメッセージ・データ処理能力に適合したメッセージ・データのみを送信することを可能とするために、送信装置に受信装置のメッセージ・データ処理能力を知らせるステップを含む方法を提供する。
【０００８】
送信装置に受信装置の能力を知らせることにより、受信装置が処理可能なメッセージ・データのみを送信し、それによりメッセージ・データをトランスコードする必要性を除去することが可能になる。更に、受信装置が処理できないメッセージ・データの送信が避けられるため、データ損失を防止し、互換性のないデータの不要な送信を排除することが可能である。結果として、ユーザ・メッセージが実質的に送信された通りに受信されるため（「送ったものと同じものが受信される」）、移動サービスのユーザに対する使い易さが高められ、ネットワークにより要求されるデータの処理量がかなり低減される。
【０００９】
従来技術において、メッセージ・データと受信装置の能力とのマッチングは、典型的に、例えば交換機又は受信装置自体のようなネットワークにおいて実行されることに注意すべきである。これに対し、本発明によるメッセージ・データと受信装置の能力とのマッチングは、メッセージ・データの送信に先立って、送信装置において行われる。
【００１０】
疑義を避けるため、本明細書において利用される「装置」という用語は、通信ネットワークに接続された又は接続可能である（典型的にはユーザ装置であるが必ずしもそうでなくてもよい）端末を表すことに注意すべきである。また、「ネットワーク」という用語は、物理的ネットワーク及びその交換機に関連する、例えば（メール）サーバ、仲介プラットフォーム、付加価値サービス用サーバなどの任意の補助的な装置及びサービスを含むことを意図する。「移動通信システム」という用語は、（「セルラー」通信として知られる）移動通信に特に適するがそれに限定されない通信システムを表すことを意図しており、従って、本明細書において意図される「移動通信システム」は、固定の（「陸上通信線接続された」）端末を含み得る。更に、「移動端末」という用語は、携帯（「セルラー」）電話に限定されず、上記に定義された移動通信システムと通信可能な装置を表し得る。そのような移動端末の例としては、サービス状態を通信するために車に組み込まれた装置や、状況（準備完了／満車／サービス休止中）を通信するためにパーキング・メーターに組み込まれた装置がある。
【００１１】
受信装置のメッセージ・データ処理能力は、本発明に従って、送信装置のユーザに提示され得る。最大データ長、特定のデータ形式に対するコーデック（コーダ／デコーダ）の存在、及び／又は他のパラメータを含み得るこれらのメッセージ・データ処理能力は、ユーザが受信装置により受信及び表示可能なメッセージ構成要素を選択することを可能とする。従って、送信移動装置が受信移動装置の能力を知っている場合、送信移動装置のユーザは、提示されるオプションの中から適切なメッセージ構成オプションを選択することができる。
【００１２】
追加として、又は代わりに、受信装置のメッセージ・データ処理能力は、受信装置のメッセージ・データ処理能力に従って、送信されるメッセージ・データを自動的に選択するために、送信装置に伝達され得る。従って、ユーザによる（手動）選択に加えて、又はその代わりに、送信移動装置による（自動）選択が提供され得る。
【００１３】
好ましい実施の形態において、メッセージ・データ処理能力は、
・静止画像処理能力
・ビデオ・データ又はアニメーション処理能力
・音声データ処理能力
・（シンプル）テキスト・データ処理能力
・レイアウト形式処理能力
のうちの少なくとも１つを含むが、上記の全ての能力を含むことが望ましい。ブロードキャスト（例えばデジタルテレビ放送）受信能力のような他の能力も提供され得ることが理解される。各能力は、様々な音声、ビデオ又はテキスト形式について異なり得る。本発明は、送信装置及び受信装置の両方が特定の形式をサポートしている場合に、任意のメッセージ・データ形式が処理されることを可能とする。
【００１４】
上記のレイアウト形式には、ＨＴＭＬ、ＸＭＬ、ＳＭＩＬＥなどの既知の形式が含まれ得る。
有利なことに、少なくとも２つの受信装置の能力の説明が、送信装置に蓄積され得る。即ち、少なくとも２つだが好ましくは複数の装置のメッセージ・データ処理能力を示す情報が、送信装置に蓄積される。これにより、送信装置は、メッセージを構成する際にそれらの能力を利用することができる。
【００１５】
有利なことに、蓄積された能力の説明は、例えば電話番号などのユーザ識別（ＩＤ）のリストにリンクされる。即ち、ユーザ識別のリストが移動装置に蓄積され、リストの各アイテムは、蓄積された能力の説明へのリンクを含む。ユーザ識別のリストは、番号がリストに含まれる加入者に関する更なる情報を含む、いわゆるアドレス帳の一部であることが望ましい。蓄積された能力の説明へのリンクの幾つかは無効であることが理解される。幾つかの移動装置の能力は知られていない可能性があるからである。しかし、蓄積されたユーザ識別と関連する各移動装置の能力の説明が蓄積されていることが望ましい。
【００１６】
有利なことに、蓄積された能力の説明は、定期的な時間間隔で更新され得る。代わりに、又は追加として、蓄積された能力の説明は、受信装置の能力に変化があった際に更新され得る。従って、例えば１日、１週間又は１ヶ月といった特定の時間間隔が経過した後に、或いは、ネットワークにより変化が検出されるとすぐに、更新が起こり得る。装置に蓄積された能力の説明は、新しいユーザ識別（例えば新しい電話番号）がその特定の装置と関連付けられる際、例えば、ＧＳＭ移動装置においてＳＩＭ（加入者識別モジュール）が取り替えられる際に、毎回更新されることが望ましい。即ち、装置は、新しいユーザ識別を受信するたびに、多数の他の装置における能力の説明を更新するために、それらの装置に対し、新しいユーザ識別の能力の説明を送信し得る。
【００１７】
メッセージを構成する際、送信装置は、ローカルの記憶装置（送信装置のメモリ）から、ネットワークから、又はネットワークを介して受信装置から、受信装置の能力の説明を取り出し得る。能力の説明は、ネットワークで交換されるデータ量を低減するために、送信装置のメモリから取り出されることが望ましい。
【００１８】
ユーザのプライバシーを守るため、受信装置は、認証に応じてのみ、その能力の説明を送信し得る。従って、能力の伝達の前に認証処理が行われ得る。認証処理は、送信（能力要求）装置（のユーザ）、パスワード、暗号鍵及び／又は他のデータの識別を含み得る。
【００１９】
本発明は、更に、移動通信システムにおいて利用される装置であって、ネットワークとメッセージ・データを交換する手段と、メッセージ・データを処理する手段と、メッセージ・データを対応する装置の能力に適合させる手段とを含む装置を提供する。これらの対応する装置は、典型的に、ネットワークとメッセージを交換することが可能な移動装置、又は少なくともネットワークからメッセージを受信することが可能な移動装置である。前記のメッセージ・データを交換する手段、メッセージ・データを処理する手段、及びメッセージ・データを適合させる手段は、ハードウェアで実現されてもよいが、マイクロプロセッサにより実行されるソフトウェア・プログラム・ユニットで実現されることが望ましい。
【００２０】
有利なことに、本発明の装置は、更に、対応する装置の能力を蓄積する手段を備え得る。代わりに、又は追加として、該装置は、対応する装置の能力を取り出す手段を備え得る。
【００２１】
該装置は、更に、ビデオ又はアニメーション・データ、静止画像データ、音声データ及び／又は（シンプル）テキスト・データを含むメッセージ・データを交換するよう構成されることが望ましい。
【００２２】
更に、本発明は、上記に定義された装置を制御するコンピュータ・プログラム製品を提供する。コンピュータ・プログラム製品は、本発明に係る移動装置を制御するために適切なコンピュータ・プログラムを含む、ＣＤ又はＤＶＤのようなデータ媒体を含み得る。
【００２３】
本発明は、また、ネットワークと、ネットワークとメッセージ・データを交換可能な少なくとも１つの送信装置と、ネットワークとメッセージ・データを交換可能な少なくとも１つの受信装置とを備える移動通信システムであって、各装置が一組のメッセージ・データ処理能力を有し、該システムが、送信装置が受信装置のメッセージ・データ処理能力に適合するメッセージ・データのみを送信することを可能とするために、送信装置に受信装置のメッセージ・データ処理能力を知らせるよう構成されるシステムを提供する。
【００２４】
本発明は、主に、ユーザ構成型データ・メッセージ、即ち端末のユーザにより構成される（タイプ及び／又は選択される）データ・メッセージを対象とすることに注意するべきである。そのようなユーザ構成型データ・メッセージは、典型的に、テキスト、画像、ビデオ及び／又は音声セグメントを含む。本発明は、また、自動データ・メッセージ、即ち、タイミング信号又はネットワーク要求に応じて端末そのものにより創作されるデータ・メッセージにも適用可能である。自動データ・メッセージは、典型的に、端末又はネットワークの状況データ、及び／又は発信データ（ｃａｌｌ  ｄａｔａ）を含む。
【００２５】
本発明は、添付の図面に示される例としての実施の形態を参照して、以下に、更に詳細に説明される。
図１に非限定的な例として示される移動通信システム１００は、送信移動装置１０２、ネットワーク１０４、及び受信移動装置１０６を含む。送信移動装置１０２及び受信移動装置１０６は、図１において、携帯（「セルラー」）電話として描かれるが、移動装置１０２及び１０６は、通信の送受信が可能な任意の装置であってよい。ネットワーク１０４は、交換機、有線接続、送信機及び受信機などの本技術分野において知られる様々なエンティティを含み得る、いわゆる無線ネットワークであってよい。移動装置との通信に適するネットワーク１０４は、更に、メール・サーバ、付加価値サービス用サーバ、仲介プラットフォームなどの補助装置を含み得る。
【００２６】
送信移動装置１０２は、受信移動装置１０４へのメッセージ送信を望み得る。メッセージは、音声（例えば、音声又は音楽）、テキスト、制御データ及び／又は画像（描画）を含み得る。送信移動装置１０２が音声、データ及び描画を送受信可能である一方、受信移動装置１０６は、送信移動装置１０２がサポートする形式のメッセージを受信可能かもしれないし、受信可能ではないかもしれない。
【００２７】
本発明によれば、「自分のメッセージがどのように受信されるか」に関する情報が、送信移動装置１０２にもたらされる。従って、送信移動装置１０２のユーザは、メッセージの構成時に、受信移動装置１０６の移動装置特性を知ることができる。その結果、送信移動装置１０２のユーザは、受信移動装置１０６においてメッセージがどのように見えるかを該ユーザが知ることができるように、メッセージを調整することができる。代わりに、又は追加として、送信装置１０２自体が、受信装置の能力に適合するようメッセージを変更することが可能である。
【００２８】
受信装置１０２の能力は、状態リストに入力され得る。状態リストは、受信移動装置１０６の説明にリンクされた状態インジケータにより構成され得る。状態インジケータは、受信移動装置１０６の能力を示すパラメータの集合であっても良い。状態インジケータは、上記の技術的な（装置が規定する）能力に加えて、例えば友人のオンライン状態（例えば、「会議中」、「オフライン」、「オンライン」）、場所（例えば、家庭、住所）、気分（例えば、楽しい）、又は任意の他の関連状態インジケータを含む非技術的な（ユーザ定義による）能力又は制約を示し得る。受信装置のユーザの気分は、例えば、テキスト・メッセージを送信するか音声メッセージを送信するかを決定するために利用され得るのに対し、ビデオ・メッセージの送信は、受信装置のユーザの場所（家庭／車内／会議）に左右され得る。
【００２９】
状態インジケータは、受信移動装置には見えても見えなくてもよい。状態リストは、単一の受信装置のみの状態インジケータ（即ち、能力）を含んでもよいが、典型的な実施の形態では、複数の受信装置の能力を含む。
【００３０】
典型的な能力は、例えば、静止画像処理能力、ビデオ・データ又はアニメーション処理能力、音声データ処理能力、（シンプル）テキスト・データ処理能力、レイアウト形式処理能力、及びブロードキャスト（例えば、デジタルテレビ放送）受信能力である。各能力は、様々な音声、ビデオ又はテキスト形式について異なり得る。本発明は、送信装置及び受信装置の両方が特定の形式をサポートしている場合に、任意のメッセージ・データ形式が処理されることを可能とする。
【００３１】
数学的には、本発明は、以下のように表現され得る。即ち、端末が保有するｎ個の異なる能力ｃ１．．．ｃｎからなる集合Ｃがあると想定する。各端末（例えば、装置１０２又は１０６）は、これらのｎ個の能力の部分集合を有する。従って、送信装置は部分集合Ｃｓを有し、受信装置は部分集合Ｃｒを有する。部分集合Ｃｓ及びＣｒの共通部分Ｃｍの要素が、一致する能力である。従って、送信装置のユーザは、一致する能力の集合Ｃｍに従うメッセージ構成要素を構成及び／又は選択することが可能である。
【００３２】
メッセージが２つ以上の受信装置に送信される場合、一致する能力の集合Ｃｍは、より少ない要素を持つ傾向があることが理解される。能力の部分集合Ｃｒ及びＣｒ’を有する２つ（又はそれ以上の）受信装置が含まれる場合、一致する能力の集合Ｃｍは、Ｃｓ、Ｃｒ及びＣｒ’の共通部分になるからである。
【００３３】
図２は、状態リスト２００の例を示す。図２は例としてのみ提供されるため、状態リスト２００は、図２に示されるより多くの又は少ない情報を含み得る。
状態リスト２００は、メモリに蓄積され得る。状態リスト２００の記憶場所は、幾つかの場所のうちの１つであり得る。例えば、状態リスト２００は、ネットワーク１０４に蓄積され得る。この場合、送信移動装置１０２は、送信移動装置１０２のユーザがメッセージを構成する場合に、受信移動装置１０６に関する必要な情報を取り出し得る。
【００３４】
もう１つの例として、状態リスト２００は、送信移動装置１０２のメモリに蓄積され得る。この場合、送信移動装置１０２は、移動装置１０２のメモリに受信装置の能力のローカルの記憶を保持し得る。代わりに、情報は、移動装置１０２に設けられた加入者識別モジュール（ＳＩＭ）カードに蓄積されてもよい。他の記憶場所も利用可能である。
【００３５】
受信移動装置１０６のエンドユーザのプライバシーを守るために、認証メカニズムが利用され得る。認証メカニズムは、受信移動装置１０６の能力を含む状態インジケータの第三者による乱用を防止し得る。受信移動装置１０６のエンドユーザは、誰が自身の状態インジケータを受信するかを制御し得る。エンドユーザは、送信移動装置１０２に対し、受信移動装置１０６からの明示的な確認を有することを要求することにより、自身の状態インジケータへのアクセスを制限し得る。更に、認証は、状態インジケータの部分集合に限定され得る。
【００３６】
受信移動装置１０６のエンドユーザは、自身の状態インジケータを変更し得る。これは、エンドユーザが自身の移動装置１０６を変更した場合に、又は任意の他の理由により、発生し得る。従って、エンドユーザは、自身の情報を含む任意の状態リスト２００において、自身の情報を更新し得る。
【００３７】
受信移動装置１０６のメッセージ能力の変更が検出されたことを、送信移動装置１０２に自動的に通知するメカニズムが存在する。例えば、受信移動装置１０６の移動装置特性の変更により、更新が開始され得る。この場合、ＳＩＭカードが或る移動装置から他の移動装置に移動されたかもしれない。状態リスト２００は、ＳＩＭカードの移動に関係する両方の移動装置について、更新される必要があり得る。代わりに、又は追加として、所定の時間期間が経過した場合に、自動的に更新が開始されてもよい。
【００３８】
状態リスト２００がネットワーク１０４に蓄積されている場合、ネットワーク１０４に、変更が通知され得る。変更される移動装置に関する情報をどの移動装置が状態リストに含むかに関する知識を、ネットワーク１０４が持っている場合、ネットワーク１０４は、変更情報をそれらの移動装置に転送し得る。例えば、ネットワーク１０４は、送信移動装置１０２が受信移動装置１０６に関する情報を含む状態リスト２００を有することを知り得る。そのため、ネットワーク１０４は、送信移動装置１０２に、受信移動装置１０６に対する変更を通知し得る。
【００３９】
代わりに、変更される移動装置が、状態リストに当該変更される移動装置を含む移動装置に関する知識を持っている場合、変更される移動装置が更新を開始し得る。例えば、受信移動装置１０６は、送信移動装置１０２が受信移動装置１０６に関する情報を含む状態リスト２００を有することを知り得る。そのため、受信移動装置１０６は、送信移動装置１０２に、受信移動装置１０６に対する変更を通知し得る。
【００４０】
更新期間に送信されるべきデータ量を低減するため、各装置に対し、それぞれが所定の能力のセットを有するクラスが割り当てられていると好都合である。それにより、更新情報は、例えば「Ｘ３７」のような新しいクラスの識別子のみを含み得る。送信装置及び受信装置は、いずれも、クラス及び関連する能力のリスト、或いは、能力及び関連するクラスのリストを含む。例えば、追加された又は削除された能力を受信装置がネットワークに通知し、次に、ネットワークが受信装置の更新された能力のセットをクラスと整合させ、その後、ネットワークが送信装置にクラス識別子を送信するような代替の仕組みも可能である。
【００４１】
図３は、本発明に従うメッセージ送信の例を示すために利用され得る、送信移動装置のアプリケーションの描画表現である。この例において、ジョンがメアリーにメッセージを送信したいと想定する。ジョンは彼の移動装置でメッセージを構成する。メアリーは、ジョンの「友達リスト」、即ちジョンの移動装置又はＳＩＭカードに蓄積されたアドレス帳（の一部）に含まれる。ジョンは友達リストからメアリーを選択する。ジョンは、また、メアリーをジョンの状態リストに含む。ジョンが友達リストからメアリーを選択する際、ジョンは、メアリーがビデオ能力を持っていないことを知る。ジョンの移動装置はメッセージへのビデオ・クリップの添付をサポートしているが、メアリーの移動装置はサポートしていない。ジョンは、メアリーにビデオ・クリップ付きのメッセージを送ってはいけないことを知る。ジョンの移動装置は、利用不可能な選択肢を隠す又は非アクティブとして示すことにより、メアリーの移動装置が受け入れ可能な選択肢を提供し得る。ジョンは、メアリーの移動装置が受信可能な形式でメッセージを送信し得る。例えば、ジョンはメアリーに対し、代わりに写真メッセージを送信し得る。
【００４２】
図４において、例としての送信移動装置１０２の幾つかの機能が概略的に示される。装置１０２は、ネットワークとメッセージ・データを交換する手段１１１と、メッセージ・データを処理する手段１１２と、メッセージ・データを対応する装置の能力と適合させる手段１１３とを備えるよう示される。メッセージを交換する手段１１１は、本技術分野において周知の入出力手段を備え得る。メッセージ・データを処理する手段１１２は、キーパッドのようなハードウェア要素を含むメッセージを構成する手段と、メッセージ構成要素を組み立てる電子的手段とを備え得る。これらの手段１１２は、更に、対応する装置の能力及び状態に関するデータ（状態インジケータ）を受信し、例えば状態リスト１１４に状態インジケータを蓄積する適切な手段を備え得る。本発明に従い、メッセージ・データを対応する装置の能力に適合させる手段１１３は、メッセージ・データを能力データ（状態インジケータ）と比較する比較手段を備え得る。有利なことに、メッセージを構成する際、装置１０２は、メッセージの構成要素（例えば、テキスト及びビデオ）、及びこれらのメッセージ構成要素の長さ（例えば、テキスト部分のバイト数）のようなメッセージ属性を示すメッセージ・プロファイルを自動的に作成する。
【００４３】
前記手段１１１、１１２及び１１３の少なくとも一部は、装置１０２の適切なマイクロプロセッサにより実行されるソフトウェア・プログラム・ユニットであり得る。装置１０２は、また、ソフトウェア・プログラム・ユニット、状態リスト、メッセージ構成要素、及び他の情報を蓄積するためのメモリを備えることが理解される。更に、装置１０２は、アンテナ、ディスプレイ、マイクロフォン、スピーカなどの通常の携帯電話構成要素を備える。図１の受信装置１０６は、送信装置１０２と構造的に同じであってもよいが、必ずしも同じでなくてもよいことに注意すべきである。受信装置１０６は、送信装置１０２に自身の能力を知らせる手段を少なくとも含む。
【００４４】
本発明は、送信移動装置及び受信移動装置のメッセージ・データの互換性が、ネットワークの代わりに送信装置において確認可能であるという洞察に基づく。これは、送信効率を高め、データ損失を最小化する。更に、ネットワークにおけるデータ・メッセージのトランスコードが不要となる。
【００４５】
本発明は、例えばＧＳＭ及びＵＭＴＳネットワークのような様々な移動ネットワークに適用可能である。テキスト・メッセージ及び他のデータの固定端末間での交換の可能性を提供する固定（即ち、非移動又は「陸上線」の）ネットワークが増えてきているため、少なくとも１つの端末が非移動端末であってもよい。本発明は、移動端末間、移動端末と固定端末の間、及び２つ（又はそれ以上）の固定端末間のデータ交換に利用され得る。
【００４６】
従って、本発明は上記の実施の形態に限定されず、添付の特許請求の範囲に規定された本発明の範囲を逸脱することなく多くの修正及び追加がなされ得ることが、当業者に理解される。
【図面の簡単な説明】
【００４７】
【図１】図１は、本発明が利用され得る例としての通信システムのブロック図を概略的に示す。
【図２】図２は、本発明に従う、端末能力を含む状態リストの例としての実施の形態を概略的に示す。
【図３】図３は、本発明に従う送信移動装置の利用例を概略的に示す。
【図４】図４は、本発明が利用される送信移動装置の例としての実施の形態のブロック図を概略的に示す。
【図１】
2006514813.tif 000003
【図２】
2006514813.tif 000004
【図３】
2006514813.tif 000005
【図４】
2006514813.tif 000006
【国際調査報告】
2006514813.tif 000007
2006514813.tif 000008
2006514813.tif 000009